(57)【要約】【課題】吸収体から浮き上がって存在するスキンコンタクトシートを持ち、股下部での位置ずれがない吸収体物品の提供。【解決手段】第１防漏体と吸収体とを有する吸収体物品本体部と、吸収体の上部において、吸収体物品本体部の中央部から後端部にかけて配置され、前端部以外の周縁部が吸収体物品本体部とシールされており、下側に袋状の密閉空間を形成する、シート状の第２防漏体と、その上部において吸収体物品本体部の前部と吸収体物品本体部の後部との間にかけて配置され、着用時に、着用者の肌に接触し、前端部及び後端部以外の部分で吸収体と離間した状態となる、スキンコンタクトシートと、前部又は中央部が、スキンコンタクトシートの股下部に相当する部分に結合し、後部が、第２防漏体の下側に、少なくとも第２防漏体の前端部まで延在しており、かつ、左右側部が吸収体物品本体部と結合している、シート状の尿便分離部材とを具備する、吸収体物品。【選択図】図１
2013136486.tif 000002
【特許請求の範囲】
【請求項１】
シート状の第１防漏体と、前記防漏体の上部に少なくとも１層配置された、体液を吸収しうる吸収体とを有する吸収体物品本体部と、
前記吸収体の上部において、前記吸収体物品本体部の中央部から後端部にかけて配置され、前端部以外の周縁部が前記吸収体物品本体部とシールされており、下側に袋状の密閉空間を形成する、シート状の第２防漏体と、
前記第２防漏体の上部において前記吸収体物品本体部の前部と前記吸収体物品本体部の後部との間にかけて配置され、着用時に、着用者の肌に接触し、かつ、前端部及び後端部以外の部分で前記吸収体と離間した状態となる、スキンコンタクトシートと、
前部又は中央部が、前記スキンコンタクトシートの股下部に相当する部分に結合し、後部が、前記第２防漏体の下側に、少なくとも前記第２防漏体の前端部まで延在しており、かつ、左右側部が前記吸収体物品本体部と結合している、シート状の尿便分離部材と
を具備する、吸収体物品。
【請求項２】
前記尿便分離部材の後部の上側の面の一部と前記第２防漏体の下側の面の一部とが結合している、請求項１に記載の吸収体物品。
【請求項３】
前記尿便分離部材が、前記吸収体物品本体部の前後方向に延在するように設けられたレッグギャザーと結合している、請求項１又は２に記載の吸収体物品。
【請求項４】
前記尿便分離部材の前記スキンコンタクトシートと結合する部分より前の部分が、前記尿透過用開口部の下側に垂れ下がっている、請求項１〜３のいずれかに記載の吸収体物品。
【請求項５】
前記尿便分離部材が、フィルムと親水性不織布との複合体である、請求項１〜４のいずれかに記載の吸収体物品。
【請求項６】
前記尿便分離部材が、前後方向の長さが５０〜２００ｍｍであり、左右方向の幅が３０〜１００ｍｍである、請求項１〜５のいずれかに記載の吸収体物品。
【請求項７】
前記スキンコンタクトシートが、前身頃部に尿透過用開口を有し、かつ、後身頃部に便透過用開口を有するシートである、請求項１〜６のいずれかに記載の吸収体物品。
【発明の詳細な説明】
【技術分野】
【０００１】
本発明は、吸収体物品に関する。
【背景技術】
【０００２】
紙おむつ（子供用及び大人用）、生理用ナプキン、失禁用品、トレーニングパンツ等の吸収体物品は、木材パルプ、高吸水性樹脂（Ｓｕｐｅｒ  Ａｂｓｏｒｂｅｎｔ  Ｐｏｌｙｍｅｒ、以下「ＳＡＰ」ともいう。）等を用いた吸収体により、着用者から排出された尿等の体液を吸収する物品である。
従来、最表面はトップシートであり、そこに尿（小便）、便（大便）をともに受容するため、着用者の肌が排出された尿便に常に接触する構造であり、また、尿と便とが混じり合う構造になっていた。
このように着用者の肌に排出された尿や便が接触すると、汚れ、不快感、かぶれ等の問題が生じる。また、尿と便とが混じり合うと、尿のｐＨが変わり、かぶれが発生しやすくなり、臭いも強くなるなどの問題が生じる。【０００３】
これに対し、弾性部材により着用者に密着状態で当接するようにされ、かつ、便透過用の開口部を有するスキンコンタクトシートを設けることが知られている（特許文献１〜３参照）。特許文献１〜３に記載された吸収体物品は、吸収体の上面から浮き上がり、常に肌に密着していて、排出された尿便との接触を回避するようにスキンコンタクトシートを最表面に配置して、上から、尿便コンタクトシート、吸収体、そして裏面の尿便バリヤーシートという構成とするものである。【０００４】
また、吸収体物品の内部空間を左右に横切るように設けられて内部空間を前後に仕切る架橋部材等を吸収体から立ち上がるように設けた構造により、前側の空間で尿を受容し、後側の空間で便を受容して、尿と便との接触を防止することが知られている（特許文献４参照）。【０００５】
さらに、尿と便とを効果的に分離することができ、かつ、尿の吸収能力が高い吸収体物品として、シート状の第１防漏体と、前記第１防漏体の上部の後部に存在するシート状の第２防漏体と、前記第１防漏体の上部の前部から前記第２防漏体の下側に至るまで、少なくとも１層配置された、高吸水性樹脂を含有し体液を吸収しうる吸収体とを具備する吸収体物品が知られている（特許文献５参照）。
【先行技術文献】
【特許文献】
【０００６】
【特許文献１】特開２００２−１１０４４号公報
【特許文献２】特開２００２−１４３２１７号公報
【特許文献３】特開２００２−２０４８１１号公報
【特許文献４】特開２００７−２３６９１１号公報
【特許文献５】特開２００６−５５３０８号公報
【発明の概要】
【発明が解決しようとする課題】
【０００７】
しかしながら、本発明者の検討によれば、特許文献１〜３に記載された吸収体物品は、着用者の肌に接触する最表面の構造に関し、以下の問題がある。すなわち、上述したように新しく導入されたスキンコンタクトシートが、前後端部のみで固定され、他に固定点がないため、着用時に、特に、重要な中央にある股下部で左右、前後に位置ずれを起こし、位置が安定しないという致命的欠点がある。
また、本発明者の検討によれば、特許文献４に記載された吸収体物品は、尿便分離機能を奏する架橋部材の構造に関し、以下の問題がある。すなわち、特許文献４に記載された吸収体物品においては、架橋部材が尿便分離機能を奏するためには、着用者の会陰付近の凹凸が比較的大きい形状に応じて変形しうる必要があり、また、着用者の体位や動作に基づく、上下、前後および左右の種々の動きに対する追従する必要があるため、架橋部材として、伸縮性材料を用いるのが実質上必要であるところ、このような伸縮性材料を用いると、材料コストが高くなり、また、製造装置が複雑になって製造コストも高くなるという問題がある。
さらに、本発明者の検討によれば、特許文献５に記載された吸収体物品は、後身頃の吸収体に吸収された尿の第２防漏体上への移動という問題がある。すなわち、特許文献５に記載された吸収体物品は、第１防漏体の上部に存在する吸収体で尿を受容し、また、第２防漏体で便を受容し、好ましくは、第２防漏体の前端部又はその周辺に、尿便ストップ部材を設けることにより、尿が第２防漏体にオーバーフローしたり、便が吸収体にオーバーフローしたりしない限り、尿と便とが接触しないように意図されたものであるが、実際には、長時間の使用等により吸収体の吸収容量の限界近くまで尿が排出された場合等において、吸収体の後身頃部分において吸収されず滞留している尿が、第２防漏体の周縁部に存在する隙間から上部へ、すなわち、第２防漏体の上へと浸出してしまい、第２防漏体上に既に排出された、又はその後排出される便とが接触し、混じり合ってしまうという問題がある。【０００８】
本発明は、吸収体の表面から浮き上がって存在するようなスキンコンタクトシートの基本機能を持ち、股下部での位置ずれがなく、着用者の肌と尿便との接触を効果的に回避することができ、かつ、低コストで製造することができる吸収体物品を提供することを目的とする。
【課題を解決するための手段】
【０００９】
本発明者は、上記目的を達成すべく鋭意研究した結果、シート状の第１防漏体と、前記防漏体の上部に少なくとも１層配置された、体液を吸収しうる吸収体とを有する吸収体物品本体部と、前記吸収体の上部において、前記吸収体物品本体部の中央部から後端部にかけて配置され、前端部以外の周縁部が前記吸収体物品本体部とシールされており、下側に袋状の密閉空間を形成する、シート状の第２防漏体と、前記第２防漏体の上部において前記吸収体物品本体部の前部と前記吸収体物品本体部の後部との間にかけて配置され、着用時に、着用者の肌に接触し、かつ、前端部及び後端部以外の部分で前記吸収体と離間した状態となる、スキンコンタクトシートと、前部又は中央部が、前記スキンコンタクトシートの股下部に相当する部分に結合し、後部が、前記第２防漏体の下側に、少なくとも前記第２防漏体の前端部まで延在しており、かつ、左右側部が前記吸収体物品本体部と結合している、シート状の尿便分離部材とを具備する、吸収体物品により、吸収体の表面から浮き上がって存在するようなスキンコンタクトシートの基本機能を持ち、股下部での位置ずれがなく、着用者の肌と尿便との接触を効果的に回避することができ、かつ、低コストで製造することができる吸収体物品が得られることを見出し、本発明を完成させた。【００１０】
すなわち、本発明は、以下の（１）〜（７）を提供する。
（１）シート状の第１防漏体と、前記防漏体の上部に少なくとも１層配置された、体液を吸収しうる吸収体とを有する吸収体物品本体部と、
前記吸収体の上部において、前記吸収体物品本体部の中央部から後端部にかけて配置され、前端部以外の周縁部が前記吸収体物品本体部とシールされており、下側に袋状の密閉空間を形成する、シート状の第２防漏体と、
前記第２防漏体の上部において前記吸収体物品本体部の前部と前記吸収体物品本体部の後部との間にかけて配置され、着用時に、着用者の肌に接触し、かつ、前端部及び後端部以外の部分で前記吸収体と離間した状態となる、スキンコンタクトシートと、
前部又は中央部が、前記スキンコンタクトシートの股下部に相当する部分に結合し、後部が、前記第２防漏体の下側に、少なくとも前記第２防漏体の前端部まで延在しており、かつ、左右側部が前記吸収体物品本体部と結合している、シート状の尿便分離部材と
を具備する、吸収体物品。
（２）前記尿便分離部材の後部の上側の面の一部と前記第２防漏体の下側の面の一部とが結合している、上記（１）に記載の吸収体物品。
（３）前記尿便分離部材が、前記吸収体物品本体部の前後方向に延在するように設けられたレッグギャザーと結合している、上記（１）又は（２）に記載の吸収体物品。
（４）前記尿便分離部材の前記スキンコンタクトシートと結合する部分より前の部分が、前記尿透過用開口部の下側に垂れ下がっている、上記（１）〜（３）のいずれかに記載の吸収体物品。
（５）前記尿便分離部材が、フィルムと親水性不織布との複合体である、上記（１）〜（４）のいずれかに記載の吸収体物品。
（６）前記尿便分離部材が、前後方向の長さが５０〜２００ｍｍであり、左右方向の幅が３０〜１００ｍｍである、上記（１）〜（５）のいずれかに記載の吸収体物品。
（７）前記スキンコンタクトシートが、前身頃部に尿透過用開口を有し、かつ、後身頃部に便透過用開口を有するシートである、上記（１）〜（６）のいずれかに記載の吸収体物品。
【発明の効果】
【００１１】
本発明の吸収体物品は、スキンコンタクトシートの股下部での位置ずれがなく、着用者の肌と尿便との接触を効果的に回避することができ、かつ、低コストで製造することができる。
【図面の簡単な説明】
【００１２】
【図１】本発明の吸収体物品の例を示す模式図である。
【図２】本発明の吸収体物品の別の例を示す模式図である。
【図３】尿便分離部材の種々の例を示す模式的な断面図である。
【図４】尿便分離部材の種々の例を示す模式的な斜視図である。
【図５】尿便分離部材及び第２防漏体の組合せの種々の例を示す模式的な斜視図である。
【発明を実施するための形態】
【００１３】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してあり、添付した図面中の各縦端面図及び各縦断面図においては、図の左側に吸収体物品等の前側が位置するように図示してある。
【００１４】
図１は、本発明の吸収体物品の例を示す模式図である。図１（Ａ）は、平面図であり、図１（Ｂ）は図１（Ａ）中のＩＢ−ＩＢ線に沿った縦断面図であり、図１（Ｃ）は図１（Ａ）中のＩＣ−ＩＣ線に沿った横断面図であり、図１（Ｄ）は図１（Ａ）中のＩＤ−ＩＤ線に沿った横断面図である。
【００１５】
図１に示される本発明の吸収体物品１００は、左右両側に存在するアウターレッグギャザー（ガゼットギャザーとも呼ばれる。以下「ＯＬＧ」という。）を有するテープ型の子供用おむつとして構成されており、基本的に、シート状の第１防漏体１０と、第１防漏体１０の上部に、少なくとも１層配置された、体液を吸収しうる吸収体１１とを有する吸収体物品本体部１と、吸収体１１の上部において、吸収体物品本体部１の中央部から後端部にかけて配置され、前端部以外の周縁部が吸収体物品本体部１とシールされており、下側に袋状の密閉空間を形成する、シート状の第２防漏体１４と、第２防漏体１４の上部において吸収体物品本体部１の前部と吸収体物品本体部１の後部との間にかけて配置され、着用時に、着用者の肌に接触し、かつ、前端部及び後端部以外の部分で吸収体１１と離間した状態となる、スキンコンタクトシート１６と、前部が、スキンコンタクトシート１６の股下部に相当する部分に結合し、後部が、第２防漏体１４の下側に、第２防漏体１４の前端部まで延在しており、かつ、左右側部が吸収体物品本体部１と結合している、シート状の尿便分離部材１８とを具備する。
【００１６】
初めに、この吸収体物品１００について、部材の配置状態を下側から上側に向かって概観する。
シート状の第１防漏体１０の上には、吸収体材料１２とそれを被覆するトップシート２４とにより構成されている吸収体１１が配置され、吸収体物品本体部１を構成している。吸収体１１の上には、股下部から後身頃に掛けて、股下部に前端部が位置し、後身頃に向かって延在する尿便分離部材１８と、尿便分離部材１８の後部の上に前端部が重なる第２防漏体１４とが配置され、吸収体１１を被覆している。最上部には、前身頃部に尿透過用開口Ｏｆを有し、かつ、後身頃部に便透過用開口Ｏｒを有するスキンコンタクトシート１６が、吸収体物品本体部１の前端部から後端部にわたって配置されている。スキンコンタクトシート１６は、その前端部及び後端部で吸収体物品本体部１と結合しているが、前端部及び後端部以外の部分（前端部と後端部との間の部分）では吸収体１１から離れ、全体的に浮き上がった状態になって着用者の肌に常時接触するようになっている。スキンコンタクトシート１６の股下部は、尿便分離部材１８の前端部と結合されており、尿便分離部材１８の前部を上側に引っ張り上げている。
【００１７】
つぎに、各部材及びその関係性並びに機能について説明する。
第１防漏体１０及び第２防漏体１４の材質は、それぞれ、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、ＰＰのスポットボンド不織布）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロファイバーウェブの細孔をミクロフィブリル化セルロース（ＭＦＣ）やワックスで充填することにより耐水性を付与されたＳＢ等が挙げられる。この場合、単独で用いてもよく、フィルムと高耐水性不織布との複層シートとして用いることもできる。
【００１８】
第１防漏体１０及び第２防漏体１４が同一の材質であると、ヒートシール等の接着剤を用いての接着性が優れたものになる点で、好ましい。
【００１９】
第１防漏体１０及び第２防漏体１４は、それぞれ、複数の部材から構成されていてもよい。
【００２０】
第１防漏体１０は、シート状であり、吸収体１１等を上部に収納し、かつ、スキンコンタクトシート１６を配置し得るものであれば、その形状を特に限定されない。
第２防漏体１４は、シート状であり、便を受容することができるものであれば、その形状を特に限定されない。
本発明においては、第２防漏体上に便受けシートを設けることもできる。この場合、便受けシートが便を直接受容する。
便受けシートは、着脱可能に設けることができる。この場合、排便があったときに便受けシートを未使用のものに交換することにより、本発明の吸収体物品を、尿の吸収能が小さくなるまで、繰り返し使用することができる。
【００２１】
第２防漏体１４は、前端部以外の周縁部が吸収体本体部１とシールされており、第２防漏体１４の下側に袋状の密閉空間を形成している。これにより長時間の使用等により吸収体１１の吸収容量の限界近くまで尿が排出された場合等においても、吸収体１１の後身頃部分において吸収されず滞留している尿が、第２防漏体１４の周縁部に存在する隙間から上部へ、すなわち、第２防漏体１４の上へと浸出してしまうことがなく、尿と便とが接触することを極めて効果的に抑制することができる。
具体的には、第２防漏体１４は、前後方向においては、図１（Ｂ）に示されるように、尿便分離部材１８の後端部と吸収体１１とを被覆して、吸収体物品本体部１の後端部でトップシート２４を介して第１防漏体１０と結合している。また、第２防漏体１４は、左右方向においては、図１（Ｄ）に示されるように、結合部３６でトップシート２４を介して第１防漏体１０と結合している。このように、第２防漏体１４は、左右縁部、後端縁部の３辺において吸収体物品本体部１とシールされており、第２防漏体１４の下側に袋状の密閉空間を形成している。
シールの方法は、特に限定されず、例えば、接着剤により結合する方法が挙げられる。
【００２２】
本発明に用いられる吸収体１１は、吸収体材料１２をトップシート２４により被覆することにより構成されている。
本発明においては、吸収体は、体液を吸収しうるものであれば特に限定されず、従来公知の吸収体物品に用いられる吸収体を用いることができ、また、吸収体材料をそのまま用いてもよく、吸収体材料をトップシートにより被覆することにより構成してもよい。例えば、粉末状の木材パルプ、無加工のＳＡＰ等の粉体状吸収体、シート状吸収体をそのまま、又はトップシートにより被覆した上で用いることができる。
【００２３】
シート状吸収体は、形態安定性、脱落の可能性等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００２４】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２５】
吸収体１１は、吸収体材料１２を被覆するトップシート２４を有している。トップシート２４を有することにより、吸収体１１が着用者の肌に接触した場合にも、その刺激を和らげ、吸収体１１から脱落したＳＡＰ等の吸収体材料１２の肌への付着を防ぐことができる。
トップシートとしては、特に限定されず、例えば、従来公知のトップシートを用いることができる。具体的には、例えば、ＰＰ不織布、ＰＥＴ不織布、ＰＥ不織布等の合成繊維の不織布を用いることができる。また、レーヨン、コットン等の親水性繊維と合成繊維とを混合してなる乾式不織布を用いることもできる。
【００２６】
トップシート２４は、第１防漏体１０をその左右方向の中央部から左右縁部に至るまで被覆している。
トップシート２４は、その表面において、スキンコンタクトシート１６の前端と結合しているのが好ましい。例えば、スキンコンタクトシート１６が疎水性である場合には、スキンコンタクトシート１６が前部からの尿のにじみ出しを防ぐ機能を奏する前部ポケットを構成することが可能になる。
【００２７】
吸収体１１は、第１防漏体１０の上部に、少なくとも１層配置される。すなわち、吸収体１１は、１層であってもよく、２層以上（複数層）であってもよい。
また、吸収体１１は、折りたたんだ状態で配置することもできる。
【００２８】
本発明の吸収体物品１００においては、吸収体１１が、第１防漏体１０の上部の前部から第２防漏体１４の下側に至るまで配置されているため、尿と便とを仕切り部材により分離して尿を前部のみで吸収する方法に比べて、尿の吸収量が格段に多い。また、尿を吸収体１１の表面全体で吸収するため、尿が一度に大量に排出された場合でも、ブロッキングが起こりにくい。
【００２９】
吸収体は、尿の移動を可能とする流路を有する液ガイドシートで一部が被覆されているのが好ましい態様の一つである。
液ガイドシートは、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。
【００３０】
開孔凹凸シート部材は、凹部と凸部を有する凹凸面を少なくとも一つの面として有する。開孔凹凸シート部材においては、多数の凹部が連なって体液の流路として機能する。開孔凹凸シート部材は、凸部が使用時に多少つぶれたとしても、体液の流通が阻害されないという利点を有する。
また、開孔凹凸シート部材においては、開孔も体液の流路として機能する。
【００３１】
開孔凹凸シート部材の材料としては、例えば、ＰＥ、ＰＰ、ＰＶＡ、ウレタン等の樹脂からなる体液不透過性のフィルムが挙げられる。
開孔凹凸シート部材の具体例としては、本発明者が国際公開第０２／０６５９６５号パンフレットにおいて提案したものが挙げられる。
【００３２】
ガイドシートとして開孔凹凸シート部材を用いる場合、開孔に体液が残存する、液残りが生じ、いわゆるリウェット値が悪くなることがある。この場合、開孔凹凸シート部材の下側に、親水性拡散シートを組み合わせて用いるのが好ましい。これにより、開孔に存在する体液が、親水性拡散シートに浸透して移動するので、リウェット値が大幅に低くなる。また、開孔凹凸シート部材が防漏体とずれることが防止され、形状安定性も向上する。
【００３３】
スキンコンタクトシート１６は、図１に示されているように、吸収体１１の上部において吸収体物品本体部１の前部と吸収体物品本体部１の後部との間にかけて、配置される。
スキンコンタクトシート１６の構造は、着用時に、着用者の肌に接触し、かつ、前端部及び後端部以外の部分で吸収体１１と離間した状態となるものであれば特に限定されない。例えば、図１に示されるように、スキンコンタクトシート１６の防漏体１０の前部及び後部と結合している２箇所の部分の長さを、その部分に対応する防漏体１０の長さより短くした構造が挙げられる。
【００３４】
また、スキンコンタクトシートは、着用者の肌へ常時接触しやすくするために、伸縮性を有しているのが好ましい。伸縮性を付与するには、例えば、スキンコンタクトシート自体を、伸縮性を持つポリウレタンフィラメント等の伸縮性部材からなるニット、ネット、不織布等から構成する態様、スキンコンタクトシートの左右側縁に伸縮性部材を接合した態様が挙げられる。より具体的には、例えば、特許文献１に記載のスキンコンタクトシートのように、弾性部材が接合されており、着用時に弾性部材が引き延ばされ、着用者の肌に密着状態で当接する構造のものが挙げられる。
【００３５】
スキンコンタクトシートを構成する材料は、スキンコンタクトシートが着用者の肌に直接接触することになるので、低刺激性であること、表面が滑らかでソフトタッチであること、汗を吸収しても肌にべたつかないことが、それぞれ好ましい。
具体的には、例えば、ＰＥ、ＰＰ、ＰＥＴ、ナイロン等のフィラメントからなるメッシュ類；合成繊繊の細い糸（５デニール以下であるのが好ましい。）を原材料とするエアースルー、スパンメルト、スパンレース等の不織布；前記不織布の開孔加工品；前記不織布の畝状の加工品が好適に挙げられる。
これらは、スキンコンタクトシートが着用者の肌に直接接触することになるので、表面が吸汗性であるのが好ましい。具体的には、例えば、合成繊維から構成される不織布に表面親水化処理を施したシート、親水性不織布を上側に、疎水性不織布を下側にして２枚重ねて構成されたシートが挙げられる。
【００３６】
図１に示されるスキンコンタクトシート１６は、前身頃部に尿透過用開口Ｏｆを有し、かつ、後身頃部に便透過用開口Ｏｒを有するシートである。
スキンコンタクトシート１６は、このように尿透過用開口Ｏｆ及び便透過用開口Ｏｒを有する構成とすることにより、これら以外の部分によって、吸収体１１の上を広く被覆することができる。したがって、通常は吸収体１１とスキンコンタクトシート１６とが離間しているところ、着用者の体位等により吸収体１１が着用者の側に変形してきたりしても、吸収体１１と直接接触する着用者の肌の部分を減少するように働く。
【００３７】
スキンコンタクトシートは、上述したように、尿透過用開口及び便透過用開口の一方又は両方を有するのが好ましい態様の一つである。
尿透過用開口は、本発明の吸収体物品が女性用吸収体物品として用いられる場合は、尿道口から排出された尿の通過口となり、男性用吸収体物品として用いられる場合は、ペニス、又は、ペニス及び睾丸が収容される。
尿透過用開口は、上記の機能を奏するものであれば、形状を特に限定されないが、例えば、図１に示されるように、スキンコンタクトシートの前身頃に形成された角の丸い三角形状の切欠きが挙げられる。切欠きの形状は、特に限定されず、上記の他に、円形、長方形が挙げられる。また、切欠きではなく、スキンコンタクトシートに設けられたスリットであってもよい。
【００３８】
便透過用開口は、着用者が排出する便を透過させ、便は第２防漏体上に受容される。
便透過用開口は、上記の機能を奏するものであれば、形状を特に限定されないが、例えば、図１に示されるように、スキンコンタクトシートの後身頃に形成された角の丸い三角形状の切欠きが挙げられる。切欠きの形状は、特に限定されず、上記の他に、円形、長方形が挙げられる。
【００３９】
尿透過用開口及び便透過用開口を有しないスキンコンタクトシートの態様としては、例えば、スキンコンタクトシートの前部及び／又は後部が尿や便が排出される位置まで深くえぐれているシートである態様や、スキンコンタクトシートが複数のバンド（例えば、左右２本のバンド）からなり、尿や便が排出される位置がバンドの間隙となる態様が挙げられる。
【００４０】
上述した種々のスキンコンタクトシートの中でも、尿透過用開口及び便透過用開口の両方を有するシートが、吸収体と着用者の肌の接触を効果的に防止することができる点で、好ましい。
【００４１】
吸収体物品１００においては、スキンコンタクトシート１６が第２防漏体１４の後端と結合している。この場合、第２防漏体１４が後部からの便、特に軟便のにじみ出し等を防ぐ機能を奏する後部ポケットを構成することが可能になる。
【００４２】
尿便分離部材１８は、シート状であり、前部が、スキンコンタクトシート１６の着用時に着用者の股下部に相当する部分に結合し、かつ、左右側部が吸収体物品本体部１と結合している。
この尿便分離部材１８は、スキンコンタクトシート１６の股下部に相当する部分（すなわち、着用者が本発明の吸収体物品を着用した際に、着用者の股下部に相当する部分）により引き上げられ、吸収体物品の内部空間を前後に仕切る。これにより、前身頃の吸収体１１上に排出された尿が、便を収容する後身頃の第２防漏体１４に移動して尿と便とが混ざること、及び、後身頃の第２防漏体１４に排出された便（特に液体成分）が尿が排出される前身頃に移動して尿と便とが混ざることを、効果的に防止することができる。
【００４３】
また、尿便分離部材１８は、前部においてスキンコンタクトシート１６と結合し、かつ、左右側部が吸収体物品本体部１と結合しているから、スキンコンタクトシート１６の左右、前後への位置ずれが抑制される。すなわち、特許文献１〜３の吸収体物品において問題となる位置ずれが、本発明の吸収体物品においては解消されている。
【００４４】
尿便分離部材１８は、その前端部の上面がスキンコンタクトシート１６の着用者の股下部に相当する部分の下面と結合部２０で結合している。
結合の方法は、特に限定されず、例えば、接着剤により結合する方法が挙げられる。
【００４５】
図１に示される尿便分離部材１８は、結合部２０においてスキンコンタクトシート１６の下面と結合しているが、本発明においてはこれに限定されず、例えば、尿便分離部材がスキンコンタクトシートの着用者の股下部に相当する部分の上面と結合していてもよい。
また、図１に示される尿便分離部材１８は、その上面がスキンコンタクトシート１６の下面と結合しているが、本発明においてはこれに限定されず、例えば、尿便分離部材の前端部が上側に折り返されており、その折り返された部分でスキンコンタクトシートの着用者の股下部に相当する部分と結合していてもよい。
【００４６】
尿便分離部材とスキンコンタクトシートとの結合部の位置は、特に限定されず、例えば、吸収体物品１００の場合のように、尿便分離部材１８の前部の左右方向の中央部であり、かつ、スキンコンタクトシート１６の左右方向の中央部である位置とすることができる。この場合、スキンコンタクトシート１６の左右方向の伸縮が阻害されないため、スキンコンタクトシート１６が着用者の肌に密着して吸収体１１と離間した状態を維持しつつ、左右にずれない状態を実現することができる。
【００４７】
また、尿便分離部材１８は、その左右側部が吸収体物品本体部１と結合している。
結合の方法は、特に限定されず、例えば、接着剤により結合する方法が挙げられる。
【００４８】
具体的には、吸収体物品本体部１の左右側部において折り返された部分において、第１防漏体１０とトップシート２４とが複数本の糸ゴム５０を挟んでなるＯＬＧの根本付近に、尿便分離部材１８の前端部の左右側部が、結合部３０で、結合している（図１（Ｃ）参照）。また、尿便分離部材１８の後端部の左右側部は、結合部３２で、吸収体物品本体部１と結合している（図１（Ｄ）参照）。結合部３０と結合部３２とは、相互に独立していてもよく、両者が一体となって結合部を形成していてもよい。
【００４９】
吸収体物品１００においては、尿便分離部材１８がＯＬＧの根元付近と結合しているものであるが、このように、尿便分離部材は、吸収体物品本体部において前後方向に延在するように設けられたレッグギャザーと結合しているのが好ましい態様の一つである。この態様においては、尿便分離部材１８の左右両側における尿等の移動を効果的に抑制することができるため、尿便分離機能に優れる。また、この態様においては、ＯＬＧの折りたたまれた立体構造を安定化する効果も奏する。
【００５０】
レッグギャザーは、特に限定されず、例えば、従来公知の吸収体物品におけるレッグギャザーと同様のものを用いることができる。
レッグギャザーは、一般的に２種類に分類される。一つは、吸収体物品の本体の左右両側縁に存在するＯＬＧであり、もう一つは、吸収体物品の内部に設けられる、高吸水性樹脂、パルプ等で構成された吸収体の左右両側から立体的に立ち上がるインナーレッグギャザー（スタンディングレッグギャザーとも呼ばれる。以下「ＩＬＧ」という。）である。
本発明の吸収体物品においては、ＯＬＧ及びＩＬＧの一方又は両方を有することができる。本発明の吸収体物品がＯＬＧのみを有する場合は、吸収体物品１００のように、尿便分離部材がＯＬＧと一部で結合しているのが好ましい態様の一つである。本発明の吸収体物品がＩＬＧのみを有する場合は、後述する吸収体物品１００ａのように、尿便分離部材がＩＬＧの一部と結合しているのが好ましい態様の一つである。本発明の吸収体物品がＯＬＧ及びＩＬＧの両方を有する場合は、尿便分離部材がＩＬＧと結合しているのが好ましい態様の一つである。
【００５１】
また、尿便分離部材１８は、後部が、第２防漏体１４の下側に、第２防漏体１４の前端部まで延在し、延在した部分の上側の面の一部と第２防漏体１４の下側の面の一部とが結合部３４で結合している（図１（Ｂ）及び図１（Ｄ）参照）。このように尿便分離部材１８と第２防漏体１４とが結合していると、尿便分離部材１８の位置が安定し、それに結合したスキンコンタクトシート１６の位置ずれがより効果的に抑制される。
尿便分離部材と第２防漏体との結合部の位置は、特に限定されず、例えば、吸収体物品１００の場合のように、尿便分離部材１８の後部の左右方向の中央部とすることができる。
【００５２】
尿便分離部材１８は、上述したように、前部においてスキンコンタクトシート１６と結合しているから、着用時にスキンコンタクトシート１６が浮き上がることによって上側につまみあげられ（リフトアップ効果）、図１（Ｂ）に示されるように股下部で立ち上がるようになる。
このため、尿便分離シート部材１８は、自己起立性を有する必要がないので、伸縮性材料を用いる必要がなく、材料として単なる不織布等のシート等を用いることができ、材料コストが安価になり、また、製造装置が簡易で済み、製造コストも安価となる。
【００５３】
尿便分離部材を構成する材料は、上述した尿便分離の効果がより優れたものになる点で、液不透過性であるのが好ましい。
一方で、尿便分離部材を構成する材料は、吸収体に接触する表面においては親水性であるのが好ましい。表面が親水性であると、後述する吸収体の後方に尿を導く効果が大きくなる。
中でも、フィルムと親水性不織布との複合体であるのが好ましい態様の一つであり、フィルムの上面及び下面に親水性不織布を接合した複合体であるのがより好ましい態様の一つである。
【００５４】
また、尿便分離部材を構成する材料は、伸縮性材料を用いてもよいが、伸縮性材料を用いないのが低コストで製造することができる点で好ましい。
特許文献４に記載の吸収体物品においては、架橋部材が着用者の身体の動きに追従して着用者の会陰に接触した状態を維持するようにするなどのために、架橋部材を、伸縮性材料を用いて構成することが実質的には必須であったが、本発明の吸収体物品においては、スキンコンタクトシートが着用時に着用者の肌に接触した状態を維持する機能を奏するため、尿便分離部材は非伸縮性材料のみで構成することができる。
【００５５】
尿便分離部材の構成及び形状については、後に詳述する。
【００５６】
図１に示される尿便分離部材１８は、その後端は吸収体１１の上に載置されている。
尿が尿透過用開口Ｏｆを通じて吸収体１１上に排出された場合、一部は吸収体１１の前身頃の部分に吸収され、大部分は吸収体１１に吸収されつつ、吸収体１１の上面と第２防漏体１４の下面との間の空隙を伝って移動する。この移動の際に、尿便分離部材１８の後端（吸収体１１上に載置された部分）は、尿のガイド機能を果たし、尿の後方への移動を促進し、吸収体１１の利用効率が高くなる。
【００５７】
尿便分離部材１８は、図１に示されるように、第２防漏体１４の前端部の下側まで延在している。
このように本発明の吸収体物品においては、尿便分離部材の後部が、第２防漏体１４の下側に、少なくとも第２防漏体１４の前端部まで延在することにより、吸収体１１の上面と第２防漏体１４の下面との間の空隙が確保され、尿の後方への移動がより円滑になる。特に、尿便分離部材１８の吸収体１１側の表面が親水性である場合、この効果が大きくなるので好ましい。
また、第２防漏体１４上に排出された便が水様性であった場合、その液体成分を吸収体１１の後方へと導くことができるため、便のうち主に固形分が第２防漏体１４上に残るので、軟便漏れを防ぐことができる。
【００５８】
尿便分離部材１８は、図１に示されるように、その後端部が、第２防漏体１４の前端部と離間しているのが好ましい。
これにより、第２防漏体１４上に排出された便が水様性であった場合、その液体成分を吸収体１１へと導くことができるため、便のうち主に固形分が第２防漏体１４上に残るので、軟便漏れを防ぐことができると同時に、着用者の肌と液体成分との接触による不快感を緩和することができる。
【００５９】
尿便分離部材は、上述した尿の後方への移動の効果を損なわない範囲で、吸収体と結合しているのが好ましい。これにより、着用時の尿便分離部材の位置がより安定する。
結合の方法は、特に限定されず、例えば、接着剤により結合する方法が挙げられる。
なお、本発明においては、吸収体と尿便分離部材との結合は、吸収体材料が露出している構造であればその吸収体材料の上側の表面と尿便分離部材との結合であり、吸収体材料の表面に接合されたトップシート（例えば、図１に示されるトップシート２４）やアクイジション層が存在していればそのトップシートやアクイジション層の上側の表面と尿便分離部材との結合を意味する。
【００６０】
尿便分離部材は、子供用の紙おむつとする場合、前後方向の長さが５０〜２００ｍｍで、左右方向の幅が３０〜１００ｍｍであるのが好ましい。上記範囲であると、製造プロセスの中に組み込みやすく、材料も無駄にならない。
【００６１】
尿便分離部材は、尿便分離部材１８のように、吸収体の上に載置される部分においては、左右方向の幅が、その部分の吸収体の左右方向の幅より長く、吸収体の上面が露出していないのが好ましい。これにより、尿の左右方向への移動を抑制し、漏れを防止することができる。
【００６２】
第１防漏体１００の後端付近の左右両側には、着脱部材２６が設けられている。第１防漏体１００の前端付近の下面には、着脱部材と互いに着脱自在となるように、着脱部材（図示せず）が設けられている。これらの着脱部材は、例えば、各種面ファスナーにより構成することができる。
【００６３】
図１に示される本発明の吸収体物品１００は、大きさを特に限定されない。
【００６４】
図２は、本発明の吸収体物品の別の例を示す模式図である。図２（Ａ）は、平面図であり、図２（Ｂ）は図２（Ａ）中のＩＩＢ−ＩＩＢ線に沿った縦断面図であり、図２（Ｃ）は図２（Ａ）中のＩＩＣ−ＩＩＣ線に沿った横断面図であり、図２（Ｄ）は図２（Ａ）中のＩＩＤ−ＩＩＤ線に沿った横断面図である。
図２に示される吸収体物品１００ａは、基本的に、吸収体物品１００と同様であるが、尿便分離部材１８ａの形状が尿便分離部材１８と異なり、また、吸収体物品本体部１ａがＯＬＧを形成する糸ゴム５０を有しない代わりに、ＩＬＧを形成するサイドシート６０及びウレタンフィルム６２を有している。
なお、吸収体物品１０ａにおける吸収体物品本体部１ａ、防漏体１０ａ、吸収体１１ａ、吸収体材料１２ａ、第２防漏体１４ａ、スキンコンタクトシート１６ａ、結合部２０ａ、トップシート２４ａ、着脱部材２６ａ及び結合部３６ａは、形状等の細かい点で異なるものの、それぞれ吸収体物品１００における吸収体物品本体部１、防漏体１０、吸収体１１、吸収体材料１２、第２防漏体１４、スキンコンタクトシート１６、結合部２０、トップシート２４、着脱部材２６及び結合部３６に相当する（なお、結合部３６ａは、第１防漏体１０ａと第２防漏体１４ａとを直接結合する。）。
【００６５】
尿便分離部材１８ａは、前部の形状及び機能が尿便分離部材１８と異なる。
すなわち、尿便分離部材１８ａは、その中央部が結合部２０ａでスキンコンタクトシート１６の着用者の股下部に相当する部分に結合し、スキンコンタクトシート１６との結合部２０ａよりも前の垂れ下がり部２２は尿透過用開口部Ｏｆの下側に垂れ下がっている。この垂れ下がり部２２は、着用者から排出される尿が吸収体１１へと移動する際の流路を形成する。
このように、尿便分離部材のスキンコンタクトシートと結合する部分より前の部分が、尿透過用開口部の下側に垂れ下がっていると、尿の吸収体への移動が円滑となる。
特に、本発明の吸収体物品が女性用である場合、会陰部に、スキンコンタクトシート１６の着用者の股下部に相当する部分を接触させ、かつ、女性器を尿便分離部材１８ａの垂れ下がり部２２に接触させることにより、接触面積が大きくなり、尿を安定に捕集することが可能となる。また、着用時の吸収体物品の位置がより安定し、さらに、吸収体１１との接触をより効果的に防止することができるので、有用である。
【００６６】
尿便分離部材１８ａは、後述するＩＬＧの内側と結合部３８で結合している。これにより、尿便分離部材１８ａの左右両側における尿等の移動を効果的に抑制することができるため、尿便分離機能が優れたものとなる。
【００６７】
尿便分離部材１８ａは、後部の形状及び機能が尿便分離部材１８とほぼ同じであるが、第２防漏体１４ａとの結合の位置及び個数が異なる。
すなわち、尿便分離部材１８ａの後部は、その左右両側の合計２箇所の結合部４０において、第２防漏体１４ａと結合している。
【００６８】
尿便分離部材１８ａは、その後部が、その左右両側の合計２箇所の結合部４２において、吸収体１１のトップシート２４ａの左右縁部に存在する部分と結合している。
【００６９】
また、吸収体物品１００ａにおいては、第１防漏体１０ａの左右方向の中央部はトップシート２４ａが被覆しているが、第１防漏体１０ａの左右縁部までトップシート２４ａが被覆しておらず、第１防漏体１０ａの左右縁部はサイドシート６０が被覆している。
サイドシート６０は、内側に行くに従って立ち上がり、その内側面に前後方向に延在するウレタンフィルム６２を有している。このサイドシート６０とウレタンフィルム６２により、ＩＬＧが構成されている。
吸収体物品１００ａにおけるＩＬＧは、従来公知の吸収体物品におけるＩＬＧとは配置される位置が異なっている。すなわち、吸収体物品１００ａにおけるＩＬＧは、スキンコンタクトシート１６ａと重ならないように、スキンコンタクトシート１６ａの外側に位置するように配置されている。従来公知の吸収体物品におけるＩＬＧは、吸収体の左右縁部より内側に配置されることが多いが、吸収体物品１００ａにおけるＩＬＧは、吸収体１１ａの吸収体材料１２ａが存在する部分より外側に配置されている。
【００７０】
以下、本発明の吸収体物品に用いられる尿便分離部材及び第２防漏体について、より詳細に説明する。
【００７１】
本発明の吸収体物品に用いられる尿便分離部材は、上述したように、液不透過性であるのが好ましく、例えば、液不透過性のフィルム、不織布等を用いることができる。
中でも、液不透過性であり、かつ、表面が親水性である材料が、尿便分離部材の表面における体液の拡散を円滑に起こる点で好ましい。具体的には、液不透過性材料の表面に親水性材料を配置した構造が好ましい。
【００７２】
図３は、尿便分離部材の種々の例を示す模式的な断面図である。
図３（Ａ）に示される尿便分離部材１８ｂは、シート状の液不透過性材料７０の上にシート状の親水性材料７２を積層した２層構造となっている。
図３（Ｂ）に示される尿便分離部材１８ｃは、シート状の液不透過性材料７０の上下にシート状の親水性材料７２を積層した３層構造となっている。
液不透過性材料としては、例えば、ＰＥ、ＰＰ、ＰＥＴ等の液不透過性フィルム；ＰＰベースのＳＭＳ、ＰＥ／ＰＰベースのＳＢ等の耐水性スパンメルト不織布；不織布の撥水樹脂加工製品が挙げられる。
親水性材料としては、例えば、ティッシュペーパー；レーヨン、コットン等を混合したスパンレース不織布；ＴＣＦ、ベンリーゼ等の親水性不織布；疎水性の合繊不織布を界面活性剤処理により表面親水化加工を施した不織布が挙げられる。
尿便分離部材としては、上述した液不透過性材料及び親水性材料を適宜組み合わせて用いることができる。
また、例えば、図３（Ａ）に示される尿便分離部材１８ｂとして、ＰＰベースのＳＭＳの片面のみにＭＦＣ（Ｍｉｃｒｏｆｉｂｒｉｌｌａｔｅｄ  Ｃｅｌｌｕｌｏｓｅ：微細セルローズ繊維）をコーティングして得られる、コーティング面が親水性である液不透過性材料を用いることもできる。
【００７３】
図４は、尿便分離部材の種々の例を示す模式的な斜視図である。
図４（Ａ）に示される尿便分離部材１８は、図１に示される吸収体物品１００に用いられているものである。
尿便分離部材１８は、ほぼ長方形の形状をしている。
尿便分離部材１８は、その先端部の上面の左右方向の中央部に、スキンコンタクトシート１６と結合される結合部２０を有している（図１（Ｂ）及び図１（Ｃ）参照）。尿便分離部材１８は、この結合部２０においてスキンコンタクトシート１６と結合することにより、上側に立ち上がった構造となる。
また、尿便分離部材１８は、その先端部の上面の左右両縁部に、第１防漏体１０とトップシート２４とが複数本の糸ゴム５０を挟んでなるＯＬＧの折り返し部と結合される結合部３０を有している（図１（Ｃ）及び図１（Ｄ）参照）。
さらに、尿便分離部材１８は、その後部の下面の左右両縁部に、吸収体物品本体部１（トップシート２４）と結合される結合部３２を有している（図１（Ｄ）参照）。
【００７４】
図４（Ｂ）に示される尿便分離部材１８ａは、図２に示される吸収体物品１００ａに用いられているものである。
尿便分離部材１８ａは、ほぼ長方形の形状をしているが、尿便分離部材１８と比べて相対的に前後方向に長くなっており、前部が垂れ下がり部２２を形成している。この垂れ下がり部２２は、上述したように、スキンコンタクトシート１６ａの尿透過用開口Ｏｆの直下に位置し、排出された尿が吸収体１１ａ上に円滑に移行することができるようにガイドする機能を奏する（図２（Ａ）及び図２（Ｂ）参照）。
尿便分離部材１８ａは、その前後方向の中央部の上面の左右方向の中央部に、スキンコンタクトシート１６ａと結合される結合部２０ａを有している（図２（Ｂ）及び図２（Ｃ）参照）。尿便分離部材１８ａは、この結合部２０ａにおいてスキンコンタクトシート１６ａと結合することにより、上側に立ち上がった構造となる。
また、尿便分離部材１８ａは、その前後方向の中央部の上面の左右両縁部に、サイドシート６０とウレタンフィルム６２により構成されるＩＬＧと結合される結合部３８を有している（図２（Ｃ）参照）。
さらに、尿便分離部材１８ａは、その後部の下面の左右両縁部に、吸収体物品本体部１ａ（トップシート２４ａ）と結合される結合部４２を有している（図２（Ｄ）参照）。
【００７５】
第２防漏体は、シート状であり、吸収体の上部において、吸収体物品本体部の中央部から後端部にかけて配置され、前端部以外の周縁部が前記吸収体物品本体部とシールされており、下側に袋状の密閉空間を形成するものである。
図５は、尿便分離部材及び第２防漏体の組合せの種々の例を示す模式的な斜視図である。
図５（Ａ）に示される尿便分離部材１８及び第２防漏体１４は、図１に示される吸収体物品１００に用いられているものである。
第２防漏体１４は、ほぼ長方形の形状をしている。
尿便分離部材１８と第２防漏体１４は、結合部３４でスポット状に結合されている。
結合部３４の位置は、尿便分離部材１８の後端部の上面の左右方向の中央部であり、かつ、第２防漏体１４の前部の下面の左右方向の中央部である。
第２防漏体１４は、その後端部及び左右端部の３辺のシール部４４（結合部３６を含む。）において吸収体物品本体部１とシールされている。具体的には、第２防漏体１４は、後端部及び左右端部においてトップシート２４と結合しており、トップシート２４を介して第１防漏体１０と間接的に結合している。
【００７６】
図５（Ｂ）に示される尿便分離部材１８ａ及び第２防漏体１４ａは、図２に示される吸収体物品１００ａに用いられているものである。
第２防漏体１４ａは、ほぼ長方形の形状をしている。
尿便分離部材１８ａと第２防漏体１４ａは、２箇所の結合部４０でスポット状に結合されている。
２箇所の結合部４０の位置は、尿便分離部材１８ａの後端部の上面の左右縁部付近であり、かつ、第２防漏体１４ａの前部の下面の左右方向の中央部付近である。このような左右２箇所のスポット状の結合により、尿便分離部材１８ａの後端部を固定するとともに、軟便を後身頃に存在する吸収体に移動させるためのスペースとなり、更に、尿便分離部材１８ａを乗り越えてくるような尿の、後身頃に存在する吸収体への流路を確保することになる。
第２防漏体１４ａは、その後端部及び左右端部の３辺のシール部４４ａ（結合部３６ａを含む。）において吸収体物品本体部１ａとシールされている。具体的には、第２防漏体１４ａは、左右縁部においては第１防漏体１０ａと直接的に結合しており、また、後端部においてはトップシート２４ａと結合しており、トップシート２４ａを介して第１防漏体１０ａと間接的に結合している。
【００７７】
本発明の吸収体物品は、それぞれ上述した第１防漏体と吸収体とを有する吸収体物品本体部と、第２防漏体と、スキンコンタクトシートと、尿便分離部材とを具備するものであれば、特に限定されず、例えば、従来公知の吸収体物品の種々の構成部材を更に具備していてもよい。
【００７８】
本発明の吸収体物品は、テープ型としてもよく、パンツ型（テープレス）としてもよい。
【００７９】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００８０】
本発明の吸収体物品は、紙おむつ（子供用及び大人用）、失禁用品、トレーニングパンツ等に好適に用いられる。
【符号の説明】
【００８１】
１、１ａ  吸収体物品本体部
１０、１０ａ  第１防漏体
１１、１１ａ  吸収体
１２、１２ａ  吸収体材料
１４、１４ａ  第２防漏体
１６、１６ａ  スキンコンタクトシート
１８、１８ａ、１８ｂ、１８ｃ  尿便分離部材
２０、２０ａ、３０、３２、３４、３６、３６ａ、３８、４０、４２  結合部
２２  垂れ下がり部
２４、２４ａ  トップシート
２６、２６ａ  着脱部材
４４、４４ａ  シール部
５０  糸ゴム
６０  サイドシート
６２  ウレタンフィルム
７０  液不透過性材料
７２  親水性材料
１００、１００ａ  吸収体物品
Ｏｆ  尿透過用開口
Ｏｒ  便透過用開口
【図１】
2013136486.tif 000003
【図２】
2013136486.tif 000004
【図３】
2013136486.tif 000005
【図４】
2013136486.tif 000006
【図５】
2013136486.tif 000007
【手続補正書】
【提出日】平成24年7月17日(2012.7.17)
【手続補正１】
【補正対象書類名】特許請求の範囲
【補正対象項目名】請求項１
【補正方法】変更
【補正の内容】
【請求項１】
シート状の第１防漏体と、前記防漏体の上部に少なくとも１層配置された、体液を吸収しうる吸収体とを有する吸収体物品本体部と、
前記吸収体の上部において、前記吸収体物品本体部の中央部から後端部にかけて配置され、前端部以外の周縁部が前記吸収体物品本体部とシールされており、下側に袋状の密閉空間を形成する、体液不透過性シートである第２防漏体と、
前記第２防漏体の上部において前記吸収体物品本体部の前部と前記吸収体物品本体部の後部との間にかけて配置され、着用時に、着用者の肌に接触し、かつ、前端部及び後端部以外の部分で前記吸収体と離間した状態となる、スキンコンタクトシートと、
前部又は中央部が、前記スキンコンタクトシートの股下部に相当する部分に結合し、後部が、前記第２防漏体の下側に、少なくとも前記第２防漏体の前端部まで延在しており、かつ、左右側部が前記吸収体物品本体部と結合している、シート状の尿便分離部材と
を具備する、吸収体物品。
【手続補正２】
【補正対象書類名】明細書
【補正対象項目名】００１０
【補正方法】変更
【補正の内容】
【００１０】
すなわち、本発明は、以下の（１）〜（７）を提供する。
（１）シート状の第１防漏体と、前記防漏体の上部に少なくとも１層配置された、体液を吸収しうる吸収体とを有する吸収体物品本体部と、
前記吸収体の上部において、前記吸収体物品本体部の中央部から後端部にかけて配置され、前端部以外の周縁部が前記吸収体物品本体部とシールされており、下側に袋状の密閉空間を形成する、体液不透過性シートである第２防漏体と、
前記第２防漏体の上部において前記吸収体物品本体部の前部と前記吸収体物品本体部の後部との間にかけて配置され、着用時に、着用者の肌に接触し、かつ、前端部及び後端部以外の部分で前記吸収体と離間した状態となる、スキンコンタクトシートと、
前部又は中央部が、前記スキンコンタクトシートの股下部に相当する部分に結合し、後部が、前記第２防漏体の下側に、少なくとも前記第２防漏体の前端部まで延在しており、かつ、左右側部が前記吸収体物品本体部と結合している、シート状の尿便分離部材と
を具備する、吸収体物品。
（２）前記尿便分離部材の後部の上側の面の一部と前記第２防漏体の下側の面の一部とが結合している、上記（１）に記載の吸収体物品。
（３）前記尿便分離部材が、前記吸収体物品本体部の前後方向に延在するように設けられたレッグギャザーと結合している、上記（１）又は（２）に記載の吸収体物品。
（４）前記尿便分離部材の前記スキンコンタクトシートと結合する部分より前の部分が、前記尿透過用開口部の下側に垂れ下がっている、上記（１）〜（３）のいずれかに記載の吸収体物品。
（５）前記尿便分離部材が、フィルムと親水性不織布との複合体である、上記（１）〜（４）のいずれかに記載の吸収体物品。
（６）前記尿便分離部材が、前後方向の長さが５０〜２００ｍｍであり、左右方向の幅が３０〜１００ｍｍである、上記（１）〜（５）のいずれかに記載の吸収体物品。
（７）前記スキンコンタクトシートが、前身頃部に尿透過用開口を有し、かつ、後身頃部に便透過用開口を有するシートである、上記（１）〜（６）のいずれかに記載の吸収体物品。
【国際調査報告】
2013136486.tif 000008
2013136486.tif 000009
2013136486.tif 000010
2013136486.tif 000011